(57)【要約】【課題】  カラー画像形成装置においても現像，帯電，露光，転写及び廃トナーの処理が容易であり，現像ユニットを固定することができることにより画像現像品質の信頼性を高めることができ，感光ドラムの露出が少ないことから外部環境による汚染を低減することができる感光ユニットのハウジングアセンブリを提供する。【解決手段】  本発明によるハウジングアセンブリは，大口径の感光ドラムの少なくとも半分を取り囲み，複数の現像ユニットが選択的に当接する主開口部と少なくとも１つの副開口部を含む主ハウジングと，上記主ハウジングの一方に装着される第１の副ハウジング及び第２の副ハウジングと，上記主ハウジングにヒンジ結合された把手部，及び上記主ハウジングの両側面に設けられた少なくとも１つのブラケットとを含んでなる。【選択図】    図２
2005122138.tif 000002
【特許請求の範囲】
【請求項１】
画像形成装置において，記録紙に印刷すべき画像が形成される感光ドラムを保護する感光ユニットのハウジングアセンブリであって，
前記感光ユニットのハウジングアセンブリは，
前記感光ドラムの少なくとも半分を取り囲む主ハウジング，及び前記主ハウジングの一方に装着される少なくとも１つの副ハウジングを含む，
ことを特徴とする，感光ユニットのハウジングアセンブリ。
【請求項２】
前記主ハウジングには，現像ユニットに対応する主開口部及び少なくとも１つの副開口部が形成されている，ことを特徴とする請求項１に記載の感光ユニットのハウジングアセンブリ。
【請求項３】
前記少なくとも１つの副開口部は，
転写媒体に当接する第１の副開口部と；
廃トナーが排出される第２の副開口部と；
露光のための第３の副開口部と；を含む，
ことを特徴とする請求項２に記載の感光ユニットのハウジングアセンブリ。
【請求項４】
前記少なくとも１つの副開口部は，さらに，静電気除去光ガイド部及び帯電ローラーアセンブリが装着される第４の副開口部を含む，
ことを特徴とする請求項３に記載の感光ユニットのハウジングアセンブリ。
【請求項５】
前記少なくとも１つの副ハウジングは，オーガーが装着された第１の副ハウジング，及び静電気除去光ガイド部が装着された第２の副ハウジングを含む，
ことを特徴とする請求項１に記載の感光ユニットのハウジングアセンブリ。
【請求項６】
前記主ハウジングは，さらに，
前記主ハウジングの両側面にヒンジ結合された把手部を含む，
ことを特徴とする請求項１または２に記載の感光ユニットのハウジングアセンブリ。
【請求項７】
前記ハウジングアセンブリは，さらに，
前記主ハウジングの両側面に設けられたブラケットを含む，
ことを特徴とする請求項６に記載の感光ユニットのハウジングアセンブリ。
【請求項８】
１００ｍｍ〜１５０ｍｍの直径を有する大口径の感光ドラムの少なくとも半分を取り囲み，少なくとも１つのカラー現像ユニットが前記大口径の感光ドラムに選択的に当接できるように開口された主開口部を有する主ハウジングと；
前記主ハウジングに装着される少なくとも１つの副ハウジングと；を含む，
ことを特徴とする感光ユニットのハウジングアセンブリ。
【請求項９】
前記主ハウジングは，露光及び廃トナーの除去のため少なくとも１つの副開口部を含み，
前記少なくとも１つの副ハウジングは，オーガーが設けられた第１の副ハウジング及び静電気除去光ガイド部が設けられた第２の副ハウジングを含む，
ことを特徴とする請求項８に記載の感光ユニットのハウジングアセンブリ。
【請求項１０】
前記少なくとも１つの副開口部は，
転写媒体に当接する第１の副開口部と；
前記第１の副ハウジングが設けられ，感光ドラムからクリーニングされた廃トナーを排出する第２の副開口部と；
露光のための第３の開口部と；
前記第２の副ハウジングが設けられる第４の副開口部と；を含む，
ことを特徴とする請求項９に記載の感光ユニットのハウジングアセンブリ。
【請求項１１】
前記第１の副ハウジングは，
廃トナーを一時的に担持できる担持空間と；
廃トナーを一方向に搬送するオーガーローラーと；
廃トナーが抜け出る廃トナー落下口と；を含む，
ことを特徴とする請求項９に記載の感光ユニットのハウジングアセンブリ。
【請求項１２】
前記第２の副ハウジングの内側には，廃トナーの飛散を防止する少なくとも１つのリブが備えられている，ことを特徴とする請求項９に記載の感光ユニットのハウジングアセンブリ。
【請求項１３】
前記ハウジングアセンブリは，さらに，前記主ハウジングにヒンジ結合された把手部及び前記主ハウジングの両側面に設けられた少なくとも１つのブラケットを含む，ことを特徴とする請求項８に記載の感光ユニットのハウジングアセンブリ。
【請求項１４】
少なくとも１つの現像ユニットと１つの転写ユニットを有する画像形成装置に利用される，感光ドラムを備えた感光ユニットのハウジングアセンブリであって，
前記感光ドラムのフランジに対応する対向する側壁と，前記感光ドラムの画像形成表面に対応するように，前記感光ドラムの前記回転軸の円周方向に，前記向かい合う側壁の間に形成され，かつ，前記感光ドラムの画像形成表面の５０％未満が露光されるように，前記感光ドラムの前記回転軸に対して１８０°以上の角度を有することにより前記主開口部を前記向かい合う側壁で限定する，プレートを備える主ハウジングと；
前記感光ドラムの前記回転軸に沿う方向で，前記プレート上に形成される副開口部と；
前記主ハウジングに取り付けられ，前記副開口部を通って前記感光ドラムの前記画像形成表面に形成された画像を伝える役割を果たす副ハウジングと；を備える，
ことを特徴とする感光ユニットのハウジングアセンブリ。
【発明の詳細な説明】
【技術分野】
【０００１】
本発明は，感光ユニットのハウジングアセンブリに関し，さらに詳細には，画像形成装置において印刷すべき画像が形成される感光ドラムを保護するハウジングアセンブリに関する。
【背景技術】
【０００２】
一般に，画像形成装置とは，複写機，プリンタ，複合機，ファクシミリなどのような，画像を感光媒体に形成し，これを記録媒体に印刷する装置をいう。例えば，レーザプリンタでは，レーザ・スキャンニング・ユニット（ＬＳＵ）を用いて感光媒体に所望の画像を形成した後，現像された画像を転写ユニットを介して記録紙に転写するという一連の過程を経て，画像を用紙に印刷する。
【０００３】
このような画像形成装置では，画像が形成される感光媒体を含む感光ユニットが必要である。感光ユニットのハウジングアセンブリは，モノプリンタの場合には，通常，必須構造として構成されており，感光ドラムのみならず現像ローラー等も取り囲むように構成されている。
【０００４】
ここで，図１に，従来技術によるモノ画像形成装置の感光ユニットを保護するハウジングアセンブリの断面図を示す。図１に示すように，このような従来の感光ユニットのハウジングアセンブリ１０は，感光ドラム２２が突出する主開口部１４と，露光窓の役割を果たす副開口部１２を含んでいる。
【０００５】
図１に示すように，ハウジングアセンブリ１０は，トナーとトナーを供給するトナー攪拌機１６，トナー供給ローラー１８，現像ローラー２０，帯電ローラー２４，及び感光ドラム２２の全てを保護している。
【０００６】
トナー供給ローラー１８は，トナーを現像ローラー２０まで搬送する役割を果たし，現像ローラー２０に隣接して設けられる。現像ローラー２０は，感光ドラム２２と一定の現像ニップまたは現像ギャップをおいて当接していて，感光ドラム２２上に現像された画像を形成するために，トナー供給ローラー１８からのトナーを用いてレーザースキャンユニット２６により形成された画像を現像する。
【０００７】
図１に示すように，通常，従来のハウジングアセンブリ１０は，トナーを収容しているトナー収容筒１３が現像ローラー２０やトナー供給ローラー１８の位置より高く設置されているため，重力によりトナーがトナー供給ローラー１８を介して現像ローラー２０の方向に移動できるようにしている。
【０００８】
このようなモノ画像形成装置のハウジングアセンブリには，イエロー，マゼンタ，シアン，ブラックの４種の色相別現像機が存在するカラー画像形成装置には適用できない，という問題がある。特に，１つの感光媒体と１つの転写媒体からなるマルチパス型のカラー画像形成装置では，感光媒体がそれぞれの現像ユニットとは別に，一定の現像ニップまたはギャップをおいて当接しながら画像が現像されるため，現像ローラー等を含むモノ画像形成装置において使用されていたハウジングアセンブリと同じ構造は使用することができず，新しい概念のハウジングアセンブリの開発が要求されている。
【０００９】
したがって，近年のカラー画像形成装置では，ベルトではない表面が硬質なハードタイプの感光ドラムを使用する場合には，小口径の感光ドラムを各色相別に複数備え，これに相応するそれぞれのカラー現像ユニットを対応させて現像した後，その画像を大型の転写ベルトに転写し，記録紙にその画像を形成している。
【００１０】
このような構成を有する画像形成装置は，体積が大きいため高価になる，という問題がある。このような体積が大きくなるという問題を解決するためには，１つの小口径の感光ドラムに，複数の現像ユニットが移動しながら１つずつ選択的に当接することで，カラー画像を現像する方式や，感光ドラムを使用せずに感光ベルトを使用し，各色相別の現像機を感光ベルトに当接することで現像する方式が知られている。
【発明の開示】
【発明が解決しようとする課題】
【００１１】
しかしながら，１つの小口径の感光ドラムに，複数の現像ユニットが移動しながら１つずつ選択的に当接することで，カラー画像を現像する方法では，現像ユニットが移動するため，不完全な現像が生じる可能性があり，現像品質に対する信頼度が低下する，という問題がある。
【００１２】
また，感光ドラムを使用せずに感光ベルトを使用し，各色相別の現像機を感光ベルトに当接することで現像する方式では，感光ベルトは，ベルト張力を一定に保持することが困難であり，一定期間使用すると，ベルトが弛んだり張力が低下するため，現像ユニットとの不完全な当接を招きかねない，という問題がある。
【００１３】
したがって，本発明の目的は，カラー画像形成装置の大口径の感光ドラムを保護しつつ，固定された各色相別の現像ユニットが選択的に感光ドラムに当接することが可能な新規かつ改良された感光ユニットのハウジングアセンブリを提供することにある。
【００１４】
また，本発明の他の目的は，感光ドラムを覆う面積が広く，感光ドラムの外部環境による汚染面積を低減することが可能な新規かつ改良された感光ユニットのハウジングアセンブリを提供することにある。
【課題を解決するための手段】
【００１５】
上記目的を達成するために，本発明の第１の観点においては，画像形成装置において，記録紙に印刷すべき画像が形成される感光ドラムを保護する感光ユニットのハウジングアセンブリであって，上記感光ドラムの少なくとも半分を取り囲む主ハウジング及び上記主ハウジングの一方に装着される少なくとも１つの副ハウジングを含む，感光ユニットのハウジングアセンブリが提供される。
【００１６】
上記構成によれば，大口径の感光ドラムの半分以上を保護することができ，外部環境と遮断することにより汚染面積を低減することができる。
【００１７】
また，上記主ハウジングには，現像ユニットに対応する主開口部及び複数の副開口部が形成されていることが好ましい。また，上記少なくとも１つの副開口部は，転写媒体に当接する第１の副開口部と，廃トナーが排出される第２の副開口部及び露光のための第３の副開口部とを含むことが好ましい。また，より好ましくは，静電気除去光ガイド部及び帯電ローラーアセンブリが装着される第４の副開口部をさらに含む。
【００１８】
また，上記副ハウジングは，オーガーが装着された第１の副ハウジング及び静電気除去光ガイド部が装着された第２の副ハウジングを含み，上記主ハウジングは，上記主ハウジングの両側面にヒンジ結合された把手部をさらに含むことが好ましい。このことにより，それぞれの副開口部を通して露光，帯電，転写及び廃トナーの除去が容易に行われ，把手部を用いてユーザーが感光ユニットの着脱を容易に行うことができる。
【００１９】
また，上記主ハウジングは，上記主ハウジングの両側面に設けられたブラケットをさらに含むことが好ましい。
【００２０】
また，感光ユニットのハウジングアセンブリは，１００ｍｍ〜１５０ｍｍの直径を有する大口径の感光ドラムの少なくとも半分を取り囲み，少なくとも１つのカラー現像ユニットが上記大口径の感光ドラムに選択的に当接できるように開口された主開口部を有する主ハウジング，及び上記主ハウジングに装着される少なくとも１つの副ハウジングとを含むように構成することができる。
【００２１】
また，上記主ハウジングは，露光及び廃トナーの除去のため少なくとも１つの副開口部を含み，上記少なくとも１つの副ハウジングは，オーガーが設けられた第１の副ハウジング及び静電気除去光ガイド部が設けられた第２の副ハウジングを含むことが好ましい。
【００２２】
また，上記少なくとも１つの副開口部は，転写媒体に当接する第１の副開口部と，上記第１の副ハウジングが設けられ，感光ドラムからクリーニングされた廃トナーを排出する第２の副開口部と，露光のための第３の開口部，及び上記第２の副ハウジングが設けられる第４の副開口部とを含むことが好ましい。
【００２３】
また，上記第１の副ハウジングは，廃トナーを一時的に担持できる担持空間と，廃トナーを一方向に搬送するオーガーローラー及び廃トナーが抜け出る廃トナー落下口とを含み，上記第２の副ハウジングの内側には，廃トナーの飛散を防止する複数のリブが備えられていることが好ましい。これにより，廃トナーの処理が容易になり，除去された廃トナーが感光ドラムや帯電ローラー等に飛散することを効率よく抑えることができる。
【００２４】
さらに，上記主ハウジングは，上記主ハウジングにヒンジ結合された把手部及び前記主ハウジングの両側面に設けられた少なくとも１つのブラケットを含むことが好ましい。
【００２５】
上記目的を達成するために，本発明の第２の観点においては，少なくとも１つの現像ユニットと１つの転写ユニットを有する画像形成装置に利用される，感光ドラムを備えた感光ユニットのハウジングアセンブリであって，上記感光ユニットのハウジングアセンブリは，上記感光ドラムのフランジに対応する対向する側壁と，上記感光ドラムの画像形成表面に対応するように，上記感光ドラムの上記回転軸の円周方向に，上記向かい合う側壁の間に形成され，かつ，上記感光ドラムの画像形成表面の５０％未満が露光されるように，上記感光ドラムの上記回転軸に対して１８０°以上の角度を有することにより，上記主開口部を上記向かい合う側壁で限定する，プレートを備える主ハウジングと，上記感光ドラムの上記回転軸に沿う方向で，上記プレート上に形成される副開口部と，上記主ハウジングに取り付けられ，上記副開口部を通って上記感光ドラムの上記画像形成表面に形成された画像を伝える役割を果たす副ハウジングとを備える感光ユニットのハウジングアセンブリを提供する。
【発明の効果】
【００２６】
本発明にかかる感光ユニットのハウジングアセンブリによれば，カラー画像形成装置において，大口径の感光ドラムを半分以上覆い，外部環境と遮断することにより汚染面積を低減することができる。
【００２７】
また，主開口部を備えることにより，固定された各色相別の現像ユニットと感光ドラムとの当接性を向上し，結果として画像の現像品質の向上に寄与することができる。
【００２８】
さらに，本発明によるハウジングアセンブリは，組立や分解が容易であり，ハウジングアセンブリに把手部及び廃トナーの担持空間等を備えることにより，感光ユニットの着脱及び廃トナーの除去を容易にすることができる。
【発明を実施するための最良の形態】
【００２９】
以下，添付図面を参照しながら，本発明の好適な実施形態について詳しく説明する。なお，本明細書及び図面において，実質的に同一の機能構成を有する構成要素については，同一の符号を付することにより重複説明を省略する。
【００３０】
まず，図２〜図４に基づいて，第１の実施の形態にかかるハウジングアセンブリの構成について説明する。図２は，第１の実施の形態にかかるハウジングアセンブリの好適な実施形態が適用された感光ユニットの分解斜視図である。図３は，図２に示した感光ユニットを示す斜視図であって，ハウジングアセンブリと感光ドラムとが結合された状態を示す図である図４は，第１の実施の形態にかかるハウジングアセンブリを主開口部側からみた正面図である。
【００３１】
第１の実施の形態にかかるハウジングアセンブリは，図２に示すように，主ハウジング１０２，第１の副ハウジング１２０，第２の副ハウジング１３０，ギアアセンブリ５００（図３に示す），ブラケット４００及び把手部３００を含む。
【００３２】
主ハウジング１０２には，主開口部１０３，第１の副開口部１０４，第２の副開口部１０６，第３の副開口部１０８及び第４の副開口部１１０が形成される。主開口部１０３は，主ハウジング１０２において最も広く開口した空間であって，１００ｍｍ〜１５０ｍｍの直径を有する大口径の感光ドラム２００が装着され，固定された４つの色相別の現像ユニット（図示せず）が主開口部１０３を通して感光ドラム２００に選択的に当接する。図２に示すように，主開口部１０３に沿って主ハウジング１０２の長孔１１２にドラム軸２１０を挿入した後，ブラケット４００を固定すれば感光ユニット１００が完成する。
【００３３】
また，図３に示すように，大口径の感光ドラム２００が半分以上覆われるので，外部環境により汚染し得る範囲を低減することができ，大口径の感光ドラム２００に当接する色相別の現像ユニット（図示せず）を固定させ，現像品質の信頼性を高めることができる。
【００３４】
図２に示すように，第１の副開口部１０４は，転写ユニット（図示せず）が収容される主ハウジング１０２の上端部に形成され，感光ドラム２００に現像された画像を転写ユニット（図示せず）に転写させる通路の役割を果たす。即ち，第１の副開口部１０４を通して感光ドラム２００と転写ユニット（図示せず）とが互いに交流するのである。
【００３５】
第２の副開口部１０６は，図２及び図４に示すように，第１の副開口部１０４の下端部に形成され，第２の副開口部１０６の下端には，クリーニングブレード１５０が設けられ，上端には，廃トナーの飛散を防止する飛散防止部材１５２が取り付けられる。また，第２の副開口部１０６の両端側には，同じく廃トナーの飛散を防止するシール部材１５４が各々設けられる。第２の副開口部１０６には，後述する第１の副ハウジング１２０（図２参照）が組付けられ，クリーニングブレード１５０により感光ドラム２００から除去される廃トナーを，廃トナー筒（図示せず）に搬送する。
【００３６】
第３の副開口部１０８は，主ハウジング１０２の底面に長方形に形成される。感光ドラム２００にレーザ光を用いて画像を形成するレーザ・スキャンニング・ユニット（ＬＳＵ；図示せず）がその下端に設置され，第３の副開口部１０８を介して感光ドラム２００に転写すべき画像を形成する。
【００３７】
第４の副開口部１１０は，第２の副開口部１０６と第３の副開口部１０８との間に形成された開口部であって，図２に示すような，第２の副ハウジング１３０及び帯電ローラーアセンブリ５０３が装着される。即ち，帯電ローラー５０５と帯電ローラーのクリーニングローラーギア５０４からなる帯電ローラーアセンブリ５０３では，帯電ローラー５０５が，感光ドラム２００と当接するように第４の副開口部１１０を通して装着され，第２の副ハウジング１３０が，第４の副開口部１１０を取り囲みつつ主ハウジング１０２に結合される。
【００３８】
第１の副ハウジング１２０は，廃トナーを廃トナー落下口１２６側に搬送するオーガーローラー１２２が内側に装着され，オーガーローラー１２２の一方には，オーガーローラーギア５０２が備えられる。内側には，感光ドラム２００から除去される廃トナーを一時的に担持できる担持空間１２８が形成され，下端部には，主ハウジング１０２に挿入される係止突起１２５が複数形成される。第１の副ハウジング１２０は，第２の副開口部１０６を取り囲みつつ第１の副ハウジング１２０のネジ穴１２４を通して主ハウジング１０２に締め付けられる。
【００３９】
第２の副ハウジング１３０は，一方に静電気除去光ガイド部１３２が設けられ，内側には，複数のリブ５０８が形成される。また，ネジの締付けのための複数のネジ穴５０７が形成される。静電気除去光ガイド部１３２は，感光ドラム２００から静電気を除去する静電気除去光を感光ドラム２００に導く役割を果たし，透明または半透明に構成することが好ましい。複数のリブ５０８は，帯電ローラーのクリーニングローラー５０４により除去されるトナーが，感光ドラム２００，帯電ローラー５０５及び帯電ローラーのクリーニングローラー５０４の回転により飛散しないようにする。
【００４０】
ギアアセンブリ５００は，図２及び図３に示すように，第１のアイドルギア５０６，第２のアイドルギア５０８，第３のアイドルギア５１０，第４のアイドルギア５１２，帯電ローラーのクリーニングローラーギア５０４及びオーガーローラーギア５０２を含む。第１のアイドルギア５０６，第２のアイドルギア５０８，第３のアイドルギア５１０は，感光ドラム２００のフランジギア２２２から伝わる動力を，帯電ローラー５０５をクリーニングする帯電ローラーのクリーニングローラーギア５０４に伝え，第４のアイドルギア５１２は，帯電ローラーのクリーニングローラーギア５０４からオーガーローラーギア５０２へと動力を伝える。
【００４１】
ブラケット４００は，図２に示すように，主ハウジング１０２の両側面に複数のネジにより装着され，緩衝バー４０４とコイルばね４０６，支持部材４０８を含んでなる。緩衝バー４０４は，本発明のハウジングアセンブリ１０１（図４に示す）の上端に転写ユニット（図示せず）が収容される時に転写ユニット（図示せず）に当接する部分である。コイルばね４０６は，緩衝バー４０４の下部に位置して弾性的に緩衝バー４０４を支え，支持部材４０８は，コイルばね４０６及び緩衝バー４０４を収容し主ハウジング１０２に固定される部分である。したがって，転写ユニット（図示せず）がハウジングアセンブリ１０１（図４に示す）の上端に収容される際の衝撃を，ブラケット４００が吸収する。
【００４２】
把手部３００は，主ハウジング１０２の両側面にヒンジ結合できるように開口部３０６が形成されており，滑り止め部３０２と把手側部３０４からなる。把手側部３０４は，主ハウジング１０２のフランジ収容部１１５に係止できるように係止部３０８が形成されている。
【００４３】
以下，添付図面を参照しながら，このように構成された本発明によるハウジングアセンブリと感光ドラムとが組み立てられて作動する作動関係を詳しく説明する。
【００４４】
図３に示す感光ユニット１００を，画像形成装置の本体（図示せず）に装着すると，主ハウジング１０２の動力源挿入部１１６（図３参照）に動力源（図示せず）が挿入され，フランジギア２２２に噛み合うようになる。この結果，ヘリカルギアからなるフランジギア２２２が動力源により回転することで感光ドラム２００を回転し，次いで，これに噛み合っている第１のアイドルギア５０６，第２のアイドルギア５０８，第３のアイドルギア５１０を順に回転させる。第３のアイドルギア５１０は，帯電ローラーのクリーニングローラーギア５０４を回転させ，帯電ローラーのクリーニングローラーギア５０４が帯電ローラー５０５（図２参照）と当接して回転しながら，帯電ローラー５０５をクリーニングできるようにする。次いで，帯電ローラーのクリーニングローラーギア５０４は，第４のアイドルギア５１２を回転させ，第４のアイドルギア５１２は，オーガーローラーギア５０２を回転させることで，オーガーローラー１２２及びオーガー１２３（図２参照）が廃トナーを搬送するようにする。主ハウジング１０２の主開口部１０３には，イエロー，マゼンタ，シアン，ブラックの現像機（図示せず）がそれぞれ位置し，第１の副開口部１０４には，転写媒体（図示せず）が一定のニップまたはギャップをもって対応する。
【００４５】
まず，第３の副開口部１０８を通して感光ドラム２００に露光が行われると，感光ドラム２００に印刷すべき画像が形成される。形成された画像に応じて色相別の現像ユニット（図示せず）が一定の現像ギャップまたは現像ニップをもって感光ドラム２００に当接し，色相別のトナーにて画像を現像する。現像されたトナー画像は，第１の副開口部１０４を通して転写媒体（図示せず）へと転写され，画像を転写した後に残った廃トナーは，クリーニングブレード１５０により除去され，第２の副開口部１０６を通して第１の副ハウジング１２０の内側の担持空間１２８に落ちた後，オーガーローラー１２２により廃トナー落下口１２６に搬送され，廃トナー筒（図示せず）内へと自由落下する。クリーニングが完了すると，静電気除去光ガイド部１３２及び第４の副開口部１１０を介して再帯電が行われる。
【００４６】
以上，添付図面を参照しながら本発明の好適な実施形態について説明したが，本発明は，係る例に限定ないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４７】
本発明による感光ユニットのハウジングアセンブリは，プリンタ，複写機，複合機等に広く利用され得る。
【図面の簡単な説明】
【００４８】
【図１】従来技術によるモノ画像形成装置の感光ユニットを保護するハウジングアセンブリを示す断面図である。
【図２】本発明によるハウジングアセンブリの一実施形態が適用された感光ユニットの分解斜視図である。
【図３】図２に示す感光ユニットを示す斜視図であって，ハウジングアセンブリと感光ドラムとが結合された状態を示す図である。
【図４】本発明によるハウジングアセンブリを主開口部側からみた正面図である。
【符号の説明】
【００４９】
１００      感光ユニット
１０１      ハウジングアセンブリ
１０２      主ハウジング
１０３      主開口部
１０４      第１の副開口部
１０６      第２の副開口部
１０８      第３の副開口部
１１０      第４の副開口部
１２０      第１の副ハウジング
１３０      第２の副ハウジング
５０３      帯電ローラーアセンブリ
４００      ブラケット
【図１】
2005122138.tif 000003
【図２】
2005122138.tif 000004
【図３】
2005122138.tif 000005
【図４】
2005122138.tif 000006